(57)【特許請求の範囲】
【請求項１】
基地局と端末とを含む無線通信システムにおいて、データ信号の伝搬路推定に第１の復調用の参照信号を用い、下位層の制御信号の伝搬路推定に第２の復調用の参照信号を用いる無線通信方法であって、
前記基地局は、前記端末に対し、上位層の制御信号によって、前記第１の復調用の参照信号の信号系列を決定するための第１から第２の２個のパラメータを通知し、
前記基地局は、前記端末に対し、前記第２の復調用の参照信号の信号系列を決定するための１つのパラメータを通知し、
前記端末は、前記通知された１つのパラメータから決定される信号系列を、前記第２の復調用の参照信号として設定し、
前記端末は、前記設定した第２の復調用の参照信号を用いて前記下位層の制御信号を復調および復号し、
前記第１の復調用の参照信号の信号系列を決定するためのパラメータとして、前記第１から第２の２個のパラメータの他に、Ｓｃｒａｍｂｌｉｎｇ  Ｉｄｅｎｔｉｔｙがあり、
前記基地局と前記端末は、前記第１から第２のパラメータと、前記Ｓｃｒａｍｂｌｉｎｇ  Ｉｄｅｎｔｉｔｙとの対応関係を予め共有し、
正しく復号された下位層の制御信号によって、前記Ｓｃｒａｍｂｌｉｎｇ  Ｉｄｅｎｔｉｔｙが前記端末に通知され、
前記通知されたＳｃｒａｍｂｌｉｎｇ  Ｉｄｅｎｔｉｔｙの値が０の場合、前記端末は、前記対応関係に基づいて、前記上位層の制御信号によって通知された前記第１から第２のパラメータの内の第１のパラメータを用い、前記Ｓｃｒａｍｂｌｉｎｇ  Ｉｄｅｎｔｉｔｙと前記第１のパラメータから決定される信号系列を前記第１の復調用の参照信号として設定し、
前記通知されたＳｃｒａｍｂｌｉｎｇ  Ｉｄｅｎｔｉｔｙの値が１の場合、前記端末は、前記対応関係に基づいて、前記上位層の制御信号によって通知された前記第１から第２のパラメータの内の第２のパラメータを用い、前記Ｓｃｒａｍｂｌｉｎｇ  Ｉｄｅｎｔｉｔｙと前記第２のパラメータから決定される信号系列を前記第１の復調用の参照信号として設定することを特徴とする無線通信方法。
【請求項２】
請求項１に記載の無線通信方法であって、
前記第１の復調用の参照信号の信号系列を決定するための第１から第２の２個のパラメータのいずれかと、前記第２の復調用の参照信号の信号系列を決定するための１つのパラメータは、同じ値であることを特徴とする無線通信方法。
【請求項３】
基地局と端末とを含む無線通信システムにおいて、データ信号の伝搬路推定に第１の復調用の参照信号を用い、下位層の制御信号の伝搬路推定に第２の復調用の参照信号を用いる無線通信方法であって、
前記基地局は、前記端末に対し、上位層の制御信号によって、前記第１の復調用の参照信号の信号系列を決定するための第１から第２の２個のパラメータを通知し、
前記基地局は、前記端末に対し、前記第２の復調用の参照信号の信号系列を決定するための第１から第２の２個のパラメータを通知し、
前記端末は、前記通知された２個のパラメータで決定される２個の信号系列それぞれを、前記第２の復調用の参照信号として設定し、
前記端末は、前記設定した２個の第２の復調用の参照信号を用いて前記下位層の制御信号の復調および復号を行い、
前記第１の復調用の参照信号の信号系列を決定するためのパラメータとして、前記第１から第２の２個のパラメータの他に、Ｓｃｒａｍｂｌｉｎｇ  Ｉｄｅｎｔｉｔｙがあり、
前記基地局と前記端末は、前記第１から第２のパラメータと、前記Ｓｃｒａｍｂｌｉｎｇ  Ｉｄｅｎｔｉｔｙとの対応関係を予め共有し、
正しく復号された下位層の制御信号によって、前記Ｓｃｒａｍｂｌｉｎｇ  Ｉｄｅｎｔｉｔｙが前記端末に通知され、
前記通知されたＳｃｒａｍｂｌｉｎｇ  Ｉｄｅｎｔｉｔｙの値が０の場合、前記端末は、前記対応関係に基づいて、前記上位層の制御信号によって通知された前記第１から第２のパラメータの内の第１のパラメータを用い、前記Ｓｃｒａｍｂｌｉｎｇ  Ｉｄｅｎｔｉｔｙと前記第１のパラメータから決定される信号系列を前記第１の復調用の参照信号として設定し、
前記通知されたＳｃｒａｍｂｌｉｎｇ  Ｉｄｅｎｔｉｔｙの値が１の場合、前記端末は、前記対応関係に基づいて、前記上位層の制御信号によって通知された前記第１から第２のパラメータの内の第２のパラメータを用い、前記Ｓｃｒａｍｂｌｉｎｇ  Ｉｄｅｎｔｉｔｙと前記第２のパラメータから決定される信号系列を前記第１の復調用の参照信号として設定することを特徴とする無線通信方法。
【請求項４】
請求項３に記載の無線通信方法であって、
前記第１の復調用の参照信号の信号系列を決定するための第１から第２の２個のパラメータのいずれかと、前記第２の復調用の参照信号の信号系列を決定するための第１から第２の２個のパラメータのいずれかは、同じ値であることを特徴とする無線通信方法。
【請求項５】
基地局と端末とを含み、データ信号の伝搬路推定に第１の復調用の参照信号を用い、下位層の制御信号の伝搬路推定に第２の復調用の参照信号を用いる無線通信システムであって、
前記基地局は、
前記端末に対し、上位層の制御信号によって、前記第１の復調用の参照信号の信号系列を決定するための第１から第２の２個のパラメータを通知し、
前記端末に対し、前記第２の復調用の参照信号の信号系列を決定するための１つのパラメータを通知し、
前記端末は、
前記通知された１つのパラメータから決定される信号系列を、前記第２の復調用の参照信号として設定し、
前記設定した第２の復調用の参照信号を用いて前記下位層の制御信号を復調および復号し、
前記第１の復調用の参照信号の信号系列を決定するためのパラメータとして、前記第１から第２の２個のパラメータの他に、Ｓｃｒａｍｂｌｉｎｇ  Ｉｄｅｎｔｉｔｙがあり、
前記基地局と前記端末は、前記第１から第２のパラメータと、前記Ｓｃｒａｍｂｌｉｎｇ  Ｉｄｅｎｔｉｔｙとの対応関係を予め共有し、
正しく復号された下位層の制御信号によって、前記Ｓｃｒａｍｂｌｉｎｇ  Ｉｄｅｎｔｉｔｙが前記端末に通知され、
前記通知されたＳｃｒａｍｂｌｉｎｇ  Ｉｄｅｎｔｉｔｙの値が０の場合、前記端末は、前記対応関係に基づいて、前記上位層の制御信号によって通知された前記第１から第２のパラメータの内の第１のパラメータを用い、前記Ｓｃｒａｍｂｌｉｎｇ  Ｉｄｅｎｔｉｔｙと前記第１のパラメータから決定される信号系列を前記第１の復調用の参照信号として設定し、
前記通知されたＳｃｒａｍｂｌｉｎｇ  Ｉｄｅｎｔｉｔｙの値が１の場合、前記端末は、前記対応関係に基づいて、前記上位層の制御信号によって通知された前記第１から第２のパラメータの内の第２のパラメータを用い、前記Ｓｃｒａｍｂｌｉｎｇ  Ｉｄｅｎｔｉｔｙと前記第２のパラメータから決定される信号系列を前記第１の復調用の参照信号として設定することを特徴とする無線通信システム。
【請求項６】
請求項５に記載の無線通信システムであって、
前記第１の復調用の参照信号の信号系列を決定するための第１から第２の２個のパラメータのいずれかと、前記第２の復調用の参照信号の信号系列を決定するための１つのパラメータは、同じ値であることを特徴とする無線通信システム。
【請求項７】
基地局と端末とを含み、データ信号の伝搬路推定に第１の復調用の参照信号を用い、下位層の制御信号の伝搬路推定に第２の復調用の参照信号を用いる無線通信システムであって、
前記基地局は、
前記端末に対し、上位層の制御信号によって、前記第１の復調用の参照信号の信号系列を決定するための第１から第２の２個のパラメータを通知し、
前記端末に対し、前記第２の復調用の参照信号の信号系列を決定するための第１から第２の２個のパラメータを通知し、
前記端末は、
前記通知された２個のパラメータで決定される２個の信号系列それぞれを、前記第２の復調用の参照信号として設定し、
前記設定した２個の第２の復調用の参照信号を用いて前記下位層の制御信号の復調および復号を行い、
前記第１の復調用の参照信号の信号系列を決定するためのパラメータとして、前記第１から第２の２個のパラメータの他に、Ｓｃｒａｍｂｌｉｎｇ  Ｉｄｅｎｔｉｔｙがあり、
前記基地局と前記端末は、前記第１から第２のパラメータと、前記Ｓｃｒａｍｂｌｉｎｇ  Ｉｄｅｎｔｉｔｙとの対応関係を予め共有し、
正しく復号された下位層の制御信号によって、前記Ｓｃｒａｍｂｌｉｎｇ  Ｉｄｅｎｔｉｔｙが前記端末に通知され、
前記通知されたＳｃｒａｍｂｌｉｎｇ  Ｉｄｅｎｔｉｔｙの値が０の場合、前記端末は、前記対応関係に基づいて、前記上位層の制御信号によって通知された前記第１から第２のパラメータの内の第１のパラメータを用い、前記Ｓｃｒａｍｂｌｉｎｇ  Ｉｄｅｎｔｉｔｙと前記第１のパラメータから決定される信号系列を前記第１の復調用の参照信号として設定し、
前記通知されたＳｃｒａｍｂｌｉｎｇ  Ｉｄｅｎｔｉｔｙの値が１の場合、前記端末は、前記対応関係に基づいて、前記上位層の制御信号によって通知された前記第１から第２のパラメータの内の第２のパラメータを用い、前記Ｓｃｒａｍｂｌｉｎｇ  Ｉｄｅｎｔｉｔｙと前記第２のパラメータから決定される信号系列を前記第１の復調用の参照信号として設定することを特徴とする無線通信システム。
【請求項８】
請求項７に記載の無線通信システムであって、
前記第１の復調用の参照信号の信号系列を決定するための第１から第２の２個のパラメータのいずれかと、前記第２の復調用の参照信号の信号系列を決定するための第１から第２の２個のパラメータのいずれかは、同じ値であることを特徴とする無線通信システム。
【発明の詳細な説明】
【参照による取り込み】
【０００１】
本出願は、平成２４年（２０１２年）３月１６日に出願された日本出願である特願２０１２−０５９６１５の優先権を主張し、その内容を参照することにより、本出願に取り込む。
【技術分野】
【０００２】
本発明は、無線通信方法及び無線通信システムに関する。
【背景技術】
【０００３】
セルラシステムでは、複数の基地局の通信エリアの境界付近に位置する端末の通信品質は、基地局間の干渉が原因で大きく劣化する。このような基地局間の干渉を低減する技術として、複数の基地局、または、ＲＲＨ（Ｒｅｍｏｔｅ  Ｒａｄｉｏ  Ｈｅａｄ）間で、端末宛の信号を連携して送信または受信する技術が提案されている。この技術は、ＣｏＭＰ（Ｃｏｏｄｉｎａｔｅｄ  Ｍｕｌｔｉ−Ｐｏｉｎｔ  Ｏｐｅｒａｔｉｏｎ）と呼ばれている。
ＣｏＭＰは、標準化団体３ＧＰＰ（３ｒｄ  Ｇｅｎｅｒａｔｉｏｎ  Ｐａｒｔｎｅｒｓｈｉｐ  Ｐｒｏｊｅｃｔ）において、ＬＴＥ−Ａｄｖａｎｃｅｄ（Ｌｏｎｇ  Ｔｅｒｍ  Ｅｖｏｌｕａｔｉｏｎ−Ａｄｖａｎｃｅｄ）規格への採用が検討されている。ＣｏＭＰは、例えば、非特許文献１に開示されている。【０００４】
ＣｏＭＰを行うセルラシステムの例を図１に示す。図１では、マクロ基地局１−１の通信エリア内に４つの低送信電力基地局１−２、１−３、１−４、１−５が存在している。低送信電力基地局１−２、１−３、１−４、１−５は、例えば、ピコ基地局やフェムト基地局、Ｌｏｗ  Ｐｏｗｅｒ  ＲＲＨなどであり、Ｌｏｗ  Ｐｏｗｅｒ  Ｎｏｄｅ（ＬＰＮ）と呼ばれる。説明の一般性を失わないため、以降では、マクロ基地局１−１とＬＰＮ１−２〜１−５は、Ｔｒａｎｓｍｉｓｓｉｏｎ  Ｐｏｉｎｔ（ＴＰ）１−１〜１−５と表記する。【０００５】
また、ＴＰ１−１〜１−５の区別が必要ない場合は、それらをまとめて基地局１と表記する。ＴＰ１−１〜１−５は、バックホール回線を通じて接続されている。また、端末２−１、２−２、２−３、２−４がＴＰ１−１〜１−５の通信エリアに位置している。以降では、端末２−１〜２−５を特に区別する必要がない場合は、端末２と表記する。【０００６】
端末２−１は、ＴＰ１−１とＴＰ１−２の通信エリアの境界に位置しており、ＴＰ１−１とＴＰ１−２間のＣｏＭＰによって、ＳＵ−ＭＩＭＯ（Ｓｉｎｇｌｅ  Ｕｓｅｒ−Ｍｕｌｔｉｐｌｅ  Ｉｎｐｕｔ  Ｍｕｌｔｉｐｌｅ  Ｏｕｔｐｕｔ）通信を行っている。これをＳＵ（Ｓｉｎｇｌｅ  Ｕｓｅｒ）−ＣｏＭＰと呼ぶものとする。【０００７】
端末２−２および端末２−３は、それぞれ、ＴＰ１−３とＴＰ１−４の通信エリアの境界に位置し、ＴＰ１−３とＴＰ１−４間のＣｏＭＰによって、ＭＵ（Ｍｕｌｔｉ  Ｕｓｅｒ）−ＭＩＭＯ通信を行っている。これをＭＵ−ＣｏＭＰと呼ぶものとする。端末２−４は、ＴＰ１−５の通信エリアの中心付近に位置しているため、ＣｏＭＰを行わず、ＴＰ１−５とＳＵ−ＭＩＭＯによって通信している。【０００８】
非特許文献１では、図１のようなＣｏＭＰの適用シナリオとして、ＴＰ１−１〜１−５が異なる物理層の識別子を有するシナリオと、同一の物理層の識別子を有するシナリオが想定されている。ここで、物理層の識別子は、Ｐｈｙｓｉｃａｌ  Ｃｅｌｌ  ＩＤと呼ばれる。【０００９】
異なるＰｈｙｓｉｃａｌ  Ｃｅｌｌ  ＩＤのシナリオは、基本的な構成において従来のＣｏＭＰを行わないセルラシステムと同様であるが、ＴＰ１−１〜１−５間のＣｏＭＰによって各ＴＰ１−１〜１−５の通信エリアの境界付近に位置する端末２の通信品質を向上できる点が異なる。【００１０】
一方、同一のＰｈｙｓｉｃａｌ  Ｃｅｌｌ  ＩＤのシナリオでは、端末２は、ＴＰ１−１〜１−５の全てのＴＰを同一のセルとみなすため、ハンドオーバやＣｅｌｌ  Ｓｅｌｅｃｔｉｏｎ等の移動管理に関する処理は発生しない。すなわち、端末２にとって、ＴＰ１−１〜１−５の区別はつかない。【００１１】
しかし、同一のＰｈｙｓｉｃａｌ  Ｃｅｌｌ  ＩＤのシナリオでは、物理層の制御信号やデータ信号は、各ＴＰ１−１〜１−５からそれぞれ別の信号が送信される。そして、ＴＰ１−１〜１−５は、各ＴＰ１−１〜１−５を異なるセルに分割した場合と同様に、同一の時間および周波数リソースを用いて複数の端末２と同時通信を行う。その結果、ＴＰ１−１〜１−５から同じ信号を送信する場合に比べ、同時通信可能な端末数を増加できる。これはＣｅｌｌ  Ｓｐｌｉｔｔｉｎｇゲインと呼ばれている。また、図１の端末２−１、２−２、２−３ように、同一のＰｈｙｓｉｃａｌ  Ｃｅｌｌ  ＩＤのシナリオは、複数のＴＰによる連携送受信を行うこともできる。【００１２】
このようなＣｏＭＰを行う場合の伝搬路推定には、復調用の参照信号を用いることが想定されている。復調用の参照信号は、ＤＭＲＳ（ＤｅＭｏｄｕｌａｔｉｏｎ  Ｒｅｆｅｒｅｎｃｅ  Ｓｉｇｎａｌ）、または、ＵＥ−ｓｐｅｃｉｆｉｃ  ＲＳと呼ばれている。以降では、復調用の参照信号はＤＭＲＳと表わす。ＤＭＲＳを用いる場合、端末２は、ＤＭＲＳを用いて伝搬路推定を行い、推定した伝搬路を用いて下位層、すなわち、物理層の下りリンクのデータ信号であるＰＤＳＣＨ（Ｐｈｙｓｉｃａｌ  Ｄｏｗｎｌｉｎｋ  Ｓｈａｒｅｄ  Ｃｈａｎｎｅｌ）の復調を行う。【００１３】
ただし、端末２がＰＤＳＣＨを正しく復調するためには、基地局１ｖは、ＤＭＲＳとＰＤＳＣＨに対して同一のＭＩＭＯ信号処理を行い、同一のアンテナから送信することが必要である。この条件を満たしていれば、どのＴＰからＰＤＳＣＨを送信しているかを端末２に通知することなく、１つまたは複数の任意のＴＰがＰＤＳＣＨを送信できる。これは、各ＴＰ１−１〜１−５が異なるＰｈｙｓｉｃａｌ  Ｃｅｌｌ  ＩＤであるシナリオと同一のＰｈｙｓｉｃａｌ  Ｃｅｌｌ  ＩＤであるシナリオで同様である。【００１４】
非特許文献２において、現行のＬＴＥ規格（Ｒｅｌｅａｓｅ  １０）におけるＤＭＲＳは以下のように規定されている。【００１５】
ＬＴＥにおけるＤＭＲＳの信号系列は、数１で示す式で与えられる。【００１６】
【数１】
0005890893.tif 000002
【００１７】
ここで、ｃ（ｉ）は、長さが３１のＧｏｌｄ系列であり、その初期値は、数２で示す式で与えられる。【００１８】
【数２】
0005890893.tif 000003
【００１９】
数２において、ｎ＿ｓは、タイムスロットの番号、Ｎ＾Ｃｅｌｌ＿ＩＤは、端末２が接続するセルであるＳｅｒｖｉｎｇ  Ｃｅｌｌの物理層の識別子である。ｎ＿ＳＣＩＤは、Ｓｃｒａｍｂｌｉｎｇ  Ｉｄｅｎｔｉｔｙであり、スケジューリング情報を通知する物理層の下りリンクの制御信号であるＰＤＣＣＨ（Ｐｈｙｓｉｃａｌ  Ｄｏｗｎｌｉｎｋ  Ｃｏｎｔｒｏｌ  Ｃｈａｎｎｅｌ）で指定される。【００２０】
図２は、ＬＴＥ  Ｒｅｌｅａｓｅ  １０（非特許文献５を参照）におけるＡｎｔｅｎｎａ  Ｐｏｒｔとｎ＿ＳＣＩＤの通知方法を示す図である。ｎ＿ＳＣＩＤは、図２のように、ＭＩＭＯのレイヤ数および用いられるＡｎｔｅｎｎａ  Ｐｏｒｔと共に、３ビットの情報として基地局から端末に通知される。ここで、Ａｎｔｅｎｎａ  Ｐｏｒｔは、論理的なアンテナの番号であり、物理的なアンテナとは一致している必要はない。【００２１】
図２において、ＭＩＭＯのレイヤ数（Ｌａｙｅｒ）、Ａｎｔｅｎｎａ  Ｐｏｒｔの番号（Ｐｏｒｔ）、およびｎ＿ＳＣＩＤ（ｎ＿ＳＣＩＤ）の組が、３ビットの情報（Ｐｏｒｔ、ＳＣＩＤ  ａｎｄ  Ｌａｙｅｒ  Ｉｎｄｉｃａｔｏｒ）で表されている。基地局及び端末は、図２に示す対応関係の情報を共有している。端末は、当該情報を参照して、基地局から通知されたＰｏｒｔ、ＳＣＩＤ  ａｎｄ  Ｌａｙｅｒ  Ｉｎｄｉｃａｔｏｒが示すＭＩＭＯのレイヤ数（Ｌａｙｅｒ）、Ａｎｔｅｎｎａ  Ｐｏｒｔの番号（Ｐｏｒｔ）、およびｎ＿ＳＣＩＤ（ｎ＿ＳＣＩＤ）の値を特定することができる。【００２２】
以上述べたＤＭＲＳは、大きく分けて２つの特徴を有している。まず、Ｎ＾Ｃｅｌｌ＿ＩＤおよびｎ＿ＳＣＩＤが等しく、Ａｎｔｅｎｎａ  Ｐｏｒｔが異なる場合、それらのＤＭＲＳは直交する。図３は、ある時間と周波数リソース（Ｒｅｓｏｕｒｃｅ  Ｂｌｏｃｋ：ＲＢ）における、ＤＭＲＳの各Ａｎｔｅｎｎａ  Ｐｏｒｔのサブキャリア（Ｒｅｓｏｕｒｃｅ  Ｅｌｅｍｅｎｔ：ＲＥと呼ばれる）へのマッピングの例を示す。【００２３】
Ｐｏｒｔ７、８、１１、１３、および、Ｐｏｒｔ９、１０、１２、１４はそれぞれ異なる周波数リソースにマッピングされているため、ＦＤＭ（Ｆｒｅｑｕｅｎｃｙ  Ｄｉｖｉｓｉｏｎ  Ｍｕｌｔｉｐｌｅｘｉｎｇ）によって直交化される。【００２４】
同一のＲＥにマッピングされた４つのＰｏｒｔに対しては、それぞれ異なる系列の長さが４の直交符号が、それぞれのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルに乗算される。そのため、これらの４つのＰｏｒｔが同一の信号系列である場合、ＣＤＭ（Ｃｏｄｅ  Ｄｉｖｉｓｉｏｎ  Ｍｕｌｔｉｐｌｅｘｉｎｇ）によって直交化することができる。Ｎ＾Ｃｅｌｌ＿ＩＤとｎ＿ＳＣＩＤが等しい場合、数２よりＤＭＲＳは同一の系列となるため、例えばＰｏｒｔ７と８の間でＤＭＲＳは直交する。そのため、２レイヤまでのＭＵ−ＭＩＭＯ、または、８レイヤまでのＳＵ−ＭＩＭＯにおいて、伝搬路推定精度が向上できるという特徴を持つ。【００２５】
もう一方の特徴は、Ｎ＾Ｃｅｌｌ＿ＩＤまたはｎ＿ＳＣＩＤのいずれかが異なる場合、すなわち、異なる信号系列のＤＭＲＳは、疑似直交となるということである。これは、ＤＭＲＳが疑似乱数系列であることによる。その結果、ＤＭＲＳの干渉をランダム化することで、干渉を低減できる。ＬＴＥ  Ｒｅｌｅａｓｅ  １０では、異なるセル間では、Ｎ＾Ｃｅｌｌ＿ＩＤが異なるため、ランダム化によってＤＭＲＳ間の干渉が低減される。加えて、同一のＮ＾Ｃｅｌｌ＿ＩＤにおいて、異なるｎ＿ＳＣＩＤを用いることで、３または４レイヤのＭＵ−ＭＩＭＯの場合にＤＭＲＳ間の干渉を低減できる。
【先行技術文献】
【非特許文献】
【００２６】
【非特許文献１】３ＧＰＰ、"Ｃｏｏｒｄｉｎａｔｅｄ  ｍｕｌｔｉ−ｐｏｉｎｔ  ｏｐｅｒａｔｉｏｎ  ｆｏｒ  ＬＴＥ  ｐｈｙｓｉｃａｌ  ｌａｙｅｒ  ａｓｐｅｃｔｓ（Ｒｅｌｅａｓｅ  １１），"  ＴＳ  ３６．８１９，Ｖ１１．１．０，ｐｐ．６−１６，２０１１／１２
【非特許文献２】３ＧＰＰ，"Ｐｈｙｓｉｃａｌ  Ｃｈａｎｎｅｌｓ  ａｎｄ  Ｍｏｄｕｌａｔｉｏｎ（Ｒｅｌｅａｓｅ  １０），"  ＴＳ ３６．２１１，Ｖ１０．４．０，ｐｐ．７８−８３，２０１１／１２
【非特許文献３】ＺＴＥ，ｅｔｃ．， "Ｒ１−１２０８６９，Ｗａｙ  Ｆｏｒｗａｒｄ  ｏｎ  ＤＭＲＳ  ｓｅｑｕｅｎｃｅ  ｉｎｉｔｉａｌｉｚａｔｉｏｎ，"３ＧＰＰ  ＴＳＧ  ＲＡＮ  ＷＧ１＃６８，２０１２／０２．
【非特許文献４】ＮＴＴ  ＤＯＣＯＭＯ， "Ｒ１−１１４３０２，ＤＭ−ＲＳ  Ｄｅｓｉｇｎ  ｆｏｒ  Ｅ−ＰＤＣＣＨ  ｉｎ  Ｒｅｌ−１１，"３ＧＰＰ  ＴＳＧ  ＲＡＮ  ＷＧ１＃６７，２０１１／１１．
【非特許文献５】３ＧＰＰ，"Ｍｕｌｔｉｐｌｅｘｉｎｇ  ａｎｄ  ｃｈａｎｎｅｌ  ｃｏｄｉｎｇ（Ｒｅｌｅａｓｅ  １０），"  ＴＳ  ３６．２１２，Ｖ．１０．４．０，ｐｐ．７０−７１，２０１１／１２
【発明の概要】
【発明が解決しようとする課題】
【００２７】
以上述べたＤＭＲＳには、ＴＰ１−１〜１−５が同一のＰｈｙｓｉｃａｌ  Ｃｅｌｌ  ＩＤのシナリオ、および、異なるＰｈｙｓｉｃａｌ  Ｃｅｌｌ  ＩＤのシナリオ、それぞれで、以降で述べるような問題がある。まず、同一のＰｈｙｓｉｃａｌ  Ｃｅｌl  ＩＤのシナリオの問題は、以下の通りである。【００２８】
ＤＭＲＳを複数の端末２または複数のＭＩＭＯレイヤに対して使用する場合、使用するＤＭＲＳのＮ＾Ｃｅｌｌ＿ＩＤ、Ａｎｔｅｎｎａ  Ｐｏｒｔ、ｎ＿ＳＣＩＤのいずれかが、異なっている必要がある。ＬＴＥでは、Ｎ＾Ｃｅｌｌ＿ＩＤは端末２が接続するセルであるＳｅｒｖｉｎｇ  ＣｅｌｌのＰｈｙｓｉｃａｌ  Ｃｅｌｌ  ＩＤとなる。【００２９】
そのため、同一のＰｈｙｓｉｃａｌ  Ｃｅｌl  ＩＤのシナリオでは、複数の端末２がそれぞれ異なるＴＰと通信する場合でも、全ての端末２に対して、同一のＮ＾Ｃｅｌｌ＿ＩＤの値が使用される。同一のＰｈｙｓｉｃａｌ  Ｃｅｌl  ＩＤが使用される場合、図２で与えられるＡｎｔｅｎｎａ  Ｐｏｒｔとｎ＿ＳＣＩＤの組合せによって、通信できる最大のレイヤ数、または端末数は４に制限される。【００３０】
例えば、図４のように、端末２−１が２レイヤ通信、端末２−２、２−３、２−４がそれぞれ１レイヤ通信を行う場合を考える。この時、端末２−１にはＰｏｒｔ７、８、ｎ＿ＳＣＩＤ＝０を使用し、端末２−２には、Ｐｏｒｔ７、ｎ＿ＳＣＩＤ＝１を使用し、端末２−３には、Ｐｏｒｔ８、ｎ＿ＳＣＩＤ＝１を使用するものとする。この時、端末２−４は、利用可能なＤＭＲＳが無いため、通信することができない。このように、現行のＤＭＲＳでは、同時通信可能な端末数、すなわち、Ｃｅｌｌ  ｓｐｌｉｔｔｉｎｇゲインが制限されてしまう。【００３１】
一方、異なるＰｈｙｓｉｃａｌ  Ｃｅｌl  ＩＤのシナリオにおけるＤＭＲＳの問題点として、ＭＵ−ＣｏＭＰにおける伝搬路推定精度の劣化がある。図４において、端末２−２と２−３は、それぞれＴＰ１−３、ＴＰ１−４をＳｅｒｖｉｎｇ  Ｃｅｌｌとして使用している。すなわち、端末２−２と２−３では、Ｎ＾Ｃｅｌｌ＿ＩＤが異なる。そのため、図４のように、端末２−２にＰｏｒｔ７、ｎ＿ＳＣＩＤ＝１、端末２−３にＰｏｒｔ８、ｎ＿ＳＣＩＤ＝１を割当てたとしても、ＤＭＲＳの系列が異なるために、それらのＤＭＲＳは直交しない。その結果、直交するＤＭＲＳを用いた場合に比べて伝搬路推定精度が劣化する。【００３２】
以上のことから、Ｃｅｌｌ  ｓｐｌｉｔｔｉｎｇのゲインを得るためには、端末２間で異なるＤＭＲＳ系列を用いる必要があり、ＤＭＲＳを直交化するためには、端末２間で同一のＤＭＲＳ系列を用いる必要があると言える。【００３３】
以上２つの問題を解決するために、非特許文献３では、端末毎に数２におけるＮ＾Ｃｅｌｌ＿ＩＤを複数通り設定し、ＰＤＣＣＨによって、どのＮ＾Ｃｅｌｌ＿ＩＤを用いているかを通知する方法が提案されている。このとき、数２のＤＭＲＳ系列の初期値は、数３で与えられる。【００３４】
【数３】
0005890893.tif 000004
【００３５】
数３におけるＸに対して、上位層の制御信号によって、Ｎ個の値が各端末に設定される（Ｘ＝｛ｘ（０）、ｘ（１）、・・・ｘ（Ｎ−１）｝、Ｎ＞１）。ここで、上位層とは、無線リソース制御（ＲＲＣ：Ｒａｄｉｏ  Ｒｅｓｏｕｒｃｅ  Ｃｏｎｔｒｏｌ）層である。そして、ＰＤＣＣＨによって、ｘ（０）〜ｘ（Ｎ−１）の中のどの値（ｘ（ｎ）（ｎ＝０〜Ｎ−１））が用いられているかを、基地局が端末に通知する。【００３６】
例えば、非特許文献３の方法は、ＴＰ１−１〜１−５に接続する端末２間では、異なるＸの値を用いることで、それらの端末２間で異なるＤＭＲＳ系列が使用可能となる。すなわち、ＴＰ１−１〜１−５が同一のＰｈｙｓｉｃａｌ  Ｃｅｌｌ  ＩＤを有するシナリオにおいて、Ｃｅｌｌ  ｓｐｌｉｔｔｉｎｇゲインを獲得できる。【００３７】
一方、ＴＰ１−１〜１−５が異なるＰｈｙｓｉｃａｌ  Ｃｅｌｌ  ＩＤを有するシナリオでは、上記方法は、端末２−２と２−３に同一のＸを用いることで、ＭＵ−ＣｏＭＰにおいて、ＤＭＲＳを直交化できる。また、上記方法は、ある時間（Ｓｕｂｆｒａｍｅ）において、ＰＤＣＣＨによってどのｘ（ｎ）が用いられているかを基地局１から端末２に通知することで、Ｃｅｌｌ  ｓｐｌｉｔｔｉｎｇおよびＭＵ−ＣｏＭＰにおけるＤＭＲＳの直交化を動的に切り替えることが可能となる。【００３８】
一方、ＴＰ１−１〜１−５が同一のＰｈｙｓｉｃａｌ  Ｃｅｌｌ  ＩＤを有する場合、スケジューリング情報を送信するＰＤＣＣＨの容量が不足するという別の問題もある。ＰＤＣＣＨは、Ｃｅｌｌ毎の参照信号であるＣｅｌｌ−ｓｐｅｃｉｆｉｃ  ＲＳ（ＣＲＳ）を用いて復調する。ＣＲＳはＴＰ１−１〜１−５から同一の信号系列が送信されるため、ＰＤＣＣＨもＴＰ１−１〜１−５の全てから同一の信号を送信する必要がある。【００３９】
その結果、ＰＤＣＣＨの容量、すなわち、あるＳｕｂｆｒａｍｅにおいて、スケジューリングが可能な端末の数は１セル分の容量に制限される。一方、必要なＰＤＣＣＨのリソース量は、スケジューリングを行う端末数に比例するため、図４の例では、マクロ基地局１−１とＬＰＮ１−２〜１−５で、合計で最大５セル分のＰＤＣＣＨの容量が必要となる。したがって、特に、同一Ｐｈｙｓｉｃａｌ  Ｃｅｌｌ  ＩＤのシナリオでは、ＰＤＣＣＨの容量が不足してしまう。【００４０】
この問題を解決する技術として、拡張された物理層の下りリンクの制御信号であるｅｎｈａｎｃｅｄ  ＰＤＣＣＨ（ｅＰＤＣＣＨ）がある。ｅＰＤＣＣＨは、ＰＤＳＣＨのリソースを用いてＰＤＣＣＨと同様のスケジューリング情報を送信することで、ＰＤＣＣＨの容量を増加する技術である。【００４１】
しかしながら、ｅＰＤＣＣＨの復調にもＤＭＲＳを用いようとすると、発明者らが検討した結果、ｅＰＤＣＣＨの伝搬路推定を行う場合、ＰＤＳＣＨとは異なり、ＤＭＲＳに関するパラメータ（Ａｎｔｅｎｎａ  Ｐｏｒｔや数３のＸとｎ＿ＳＣＩＤ）をＰＤＣＣＨによって通知することができないことが明らかとなった。そのため、端末は、ＤＭＲＳにどのパラメータが使用されているかを予め把握している必要がある。【００４２】
Ａｎｔｅｎｎａ  Ｐｏｒｔについては、例えば、非特許文献４において、ｅＰＤＣＣＨにどのＲＥを用いるかに応じてＡｎｔｅｎｎａ  Ｐｏｒｔを決定する方法が検討されているにすぎず、ｅＰＤＣＣＨのＤＭＲＳの信号系列を決定するパラメータ（数３のＸとｎ＿ＳＣＩＤ）を端末が把握する方法については、具体的な言及すらされていない。【００４３】
また、先に述べたように、ＰＤＳＣＨのＤＭＲＳにおいて、数３のパラメータＸに複数の値（ｘ（０）〜ｘ（Ｎ−１））が設定された場合に、端末がｅＰＤＣＣＨのＤＭＲＳに用いられるパラメータを把握できない。そのため、端末は、ｅＰＤＣＣＨの復調を行うことができない可能性があった。【００４４】
本発明の一態様は、上記の点に鑑み、ＣｏＭＰおよびｅＰＤＣＣＨを用いる無線通信システムにおいて、端末がｅＰＤＣＣＨの復調用のＤＭＲＳの信号系列と、ＰＤＳＣＨの復調用のＤＭＲＳの信号系列を把握し、正しく復調を行うことで、スケジューリングに用いる制御信号の容量を増大しつつ、ＣｏＭＰによって通信品質を改善する無線通信システムを提供することを一つの目的とする。【００４５】
また、本発明の一態様は、上記のｅＰＤＣＣＨを用いる場合に、ｅＰＤＣＣＨの復調における端末の複雑性、および処理量を低減することを目的の一つとする。さらに、本発明は、上記のｅＰＤＤＣＨを用いる場合に、ｅＰＤＣＣＨの復調用のＤＭＲＳの伝搬路推定精度を向上し、ｅＰＤＣＣＨの受信性能を向上することを他の目的とする。
【課題を解決するための手段】
【００４６】
上記の目的を達成するため、本発明の一態様では、基地局と端末とを含む無線通信システムにおいて、データ信号の伝搬路推定に第１の復調用の参照信号を用い、下位層の制御信号の伝搬路推定に第２の復調用の参照信号を用いる無線通信方法を提供する。前記基地局は、前記端末に対し、上位層の制御信号によって、前記第１の復調用の参照信号の信号系列を決定するための第１から第ＮのＮ個のパラメータを通知する。前記基地局は、前記端末に対し、前記第２の復調用の参照信号の信号系列を決定するための１つのパラメータを通知する。前記端末は、前記通知された１つのパラメータから決定される信号系列を、前記第２の復調用の参照信号として設定する。前記端末は、前記設定した第２の復調用の参照信号を用いて前記下位層の制御信号を復調および復号する。前記端末は、正しく復号できた下位層の制御信号で通知される第１から第Ｎのパラメータの中の一つのパラメータから決定される信号系列を、前記第１の復調用の参照信号として設定する。【００４７】
本発明の他の態様では、基地局と端末とを含む無線通信システムにおいて、データ信号の伝搬路推定に第１の復調用の参照信号を用い、下位層の制御信号の伝搬路推定に第２の復調用の参照信号を用いる無線通信方法を提供する。前記基地局は、前記端末に対し、上位層の制御信号によって、前記第１の復調用の参照信号の信号系列を決定するための第１から第ＮのＮ個のパラメータを通知する。前記基地局は、前記端末に対し、前記第２の復調用の参照信号の信号系列を決定するための第１から第ＭのＭ個のパラメータを通知する。前記端末は、前記通知されたＭ個のパラメータで決定されるＭ個の信号系列それぞれを、前記第２の復調用の参照信号として設定する。前記端末は、前記設定したＭ個の第２の復調用の参照信号を用いて前記下位層の制御信号の復調および復号を行う。前記端末は、正しく復号できた前記下位層の制御信号で通知される第１から第Ｎのパラメータの中の一つのパラメータから決定される信号系列を、前記第１の参照信号として設定する。
【発明の効果】
【００４８】
本発明の一態様によると、スケジューリングに用いる物理層の制御信号の容量を増大しつつ、基地局間の通信エリアの境界付近に位置する端末の通信品質を改善できる。
【図面の簡単な説明】
【００４９】
【図１】関連技術において、ＣｏＭＰを行う無線通信システムの例を示す図
【図２】関連技術において、ＬＴＥ  Ｒｅｌｒｅａｓｅ  １０におけるＡｎｔｅｎｎａ  Ｐｏｒｔとｎ＿ＳＣＩＤの通知方法
【図３】関連技術において、ＤＭＲＳのＲＥへのマッピング
【図４】関連技術において、各ＴＰが同一のＰｈｙｓｉｃａｌ  Ｃｅｌｌ  ＩＤを有するシナリオにおけるＤＭＲＳの問題点を示す図
【図５】第一の実施形態の動作手順の例を示す図
【図６】第一の実施形態における端末のｅＰＤＣＣＨとＰＤＳＣＨの復調、復号手順の例を示す図
【図７】第一の実施形態におけるｅＰＤＣＣＨとＰＤＳＣＨおよびＤＭＲＳのＲＢへのマッピングの例
【図８】第一の実施形態におけるＡｎｔｅｎｎａ  Ｐｏｒｔとｎ＿ＳＣＩＤ、および、Ｘの値を通知する方法の第一の例
【図９】第一の実施形態における各端末へのＸの設定方法の第一の例
【図１０】第一の実施形態におけるＡｎｔｅｎｎａ  Ｐｏｒｔとｎ＿ＳＣＩＤ、および、Ｘの値を通知する方法の第二の例
【図１１】第一の実施形態における各端末へのＸの設定方法の第二の例
【図１２】第一の実施形態におけるｅＰＤＣＣＨのＤＭＲＳにおける問題点の例を示す図
【図１３】第二の実施形態の動作手順の例を示す図
【図１４】第二の実施形態における端末のｅＰＤＣＣＨとＰＤＳＣＨの復調、復号手順の例を示す図
【発明を実施するための形態】
【００５０】
以下、添付図面を参照して本発明の実施形態を説明する。本実施形態は本発明を実現するための一例に過ぎず、本発明の技術的範囲を限定するものではないことに注意すべきである。各図において共通の構成については同一の参照符号が付されている。
【００５１】
１．第一の実施形態
第一の実施形態は、端末の複雑性および処理量を低減することを目的とする。本実施形態の通信システム構成の一例は、図１に示す構成と同様である。図５は本発明の第一の実施形態の動作手順を示す図である。まず、基地局１は、任意の基準でｅＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を用いることを決定する。また、基地局１は、端末２の上り信号の受信電力や、端末２から報告される各ＴＰ１−１〜１−５の受信電力の情報などを基に、端末２に設定するＤＭＲＳ（ＤｅＭｏｄｕｌａｔｉｏｎ  Ｒｅｆｅｒｅｎｃｅ  Ｓｉｇｎａｌ）用のパラメータ（数３のＸ＝｛ｘ（０）、ｘ（１）、・・・、ｘ（Ｎ−１）｝）を決定する。
【００５２】
そして、基地局１は、上位層の制御信号を用いて、ｅＰＤＣＣＨの情報、および、設定したＤＭＲＳのパラメータｘ（０）〜ｘ（Ｎ−１）を端末２に通知する（Ｓ１）。上位層の制御信号は、例えば、ＲＲＣ  Ｓｉｇｎａｌｉｎｇなどである。ここで、ｅＰＤＣＣＨの情報は、例えば、ｅＰＤＣＣＨに用いるリソース（Ｒｅｓｏｕｒｃｅ  Ｂｌｏｃｋ：ＲＢ）の情報や、ｅＰＤＣＣＨに用いるＡｎｔｅｎｎａ  ｐｏｒｔの数などである。各端末に設定するｘ（０）〜ｘ（Ｎ−１）の例は後述する。
【００５３】
これらの情報を受信した端末２は、ｘ（０）、ｎ＿ＳＣＩＤ＝０で決定されるＤＭＲＳの信号系列をｅＰＤＣＣＨ復調用のＤＭＲＳと設定（決定）する（Ｓ２）。ＤＭＲＳに対して、複数のＸ（ｘ（０）〜ｘ（Ｎ−１））が設定された場合に、ｅＰＤＣＣＨ復調用のＤＭＲＳのパラメータとして、ｘ（０）およびｎ＿ＳＣＩＤ＝０を用いるという規則は、予め基地局１および端末２で共有しておく（例えば、予め規格として規定されている）。
【００５４】
本例において、Ｓ１は、ＰＤＳＣＨ（Ｐｈｙｓｉｃａｌ  Ｄｏｗｎｌｉｎｋ  Ｓｈａｒｅｄ  Ｃｈａｎｎｅｌ）復調用のＤＭＲＳのパラメータｘ（０）〜ｘ（Ｎ−１）を通知するステップであると共に、ｅＰＤＣＣＨ復調用のＤＭＲＳのパラメータｘ（０）を通知するステップでもある。Ｓ１は、復調用のＤＭＲＳのパラメータｘ（０）〜ｘ（Ｎ−１）とｅＰＤＣＣＨ復調用のＤＭＲＳのパラメータｘ（０）とを、別々に通知してもよい。
【００５５】
基地局１は、ｘ（０）およびｎ＿ＳＣＩＤ＝０を用いて、ｅＰＤＣＣＨ復調用のＤＭＲＳを送信し、また、ＰＤＳＣＨのスケジューリング情報をｅＰＤＣＣＨに格納して、端末２に送信する。このスケジューリング情報は、ＤＣＩ（Ｄｏｗｎｌｉｎｇ  Ｃｏｎｔｒｏｌ  Ｉｎｆｏｒｍａｔｉｏｎ）と呼ばれる。ＤＣＩの中に、図２と同様に、レイヤ数、Ａｎｔｅｎｎａ  Ｐｏｒｔ、ｎ＿ＳＣＩＤ、およびｘ（０）〜ｘ（Ｎ−１）の中のどの値を用いているかを示す情報が含まれる。具体的な例は後述する。
【００５６】
さらに、基地局１は、ｅＰＤＣＣＨに格納したＤＣＩに従って、ＰＤＳＣＨ復調用のＤＭＲＳおよび、ＰＤＳＣＨを端末２に送信する（Ｓ３）。端末２は、Ｓ２で設定したｅＰＤＣＣＨ復調用のＤＭＲＳを用いてｅＰＤＣＣＨを復調、復号し、次いで、ＰＤＳＣＨを復調、復号する（Ｓ４）。Ｓ４の具体的な処理は、図６にて後述する。そして、端末２は、ＰＤＳＣＨの復号結果に応じて、ＡＣＫまたはＮＡＣＫを基地局１に報告する（Ｓ５）。
【００５７】
図６は、Ｓ４における、端末２のｅＰＤＣＣＨおよびＰＤＳＣＨの復調、復号手順を示す図である。端末２は、自身宛のスケジューリングがあるか否かを確認するために、ｅＰＤＣＣＨが送信される可能性のある時間および周波数リソースの領域に対し、Ｓｕｂｆｒａｍｅ毎に、ｅＰＤＣＣＨの復調、および復号処理を試行する。
【００５８】
ｅＰＤＣＣＨが送信される可能性のある領域は、図５のＳ１で通知されたｅＰＤＣＣＨのＲＢの情報によって定まり、Ｓｅａｒｃｈ  Ｓｐａｃｅと呼ばれる。端末２は、あるＳｕｂｆｒａｍｅにおいて、定められたＳｅａｒｃｈ  ｓｐａｃｅに対して、ｅＰＤＣＣＨ復調用のＤＭＲＳ（ｘ（０）、ｎ＿ＳＣＩＤ＝０）を用いて、伝搬路推定を行う。そして、推定した伝搬路を用いてｅＰＤＣＣＨを復調、復号する（Ｓ１０）。
【００５９】
端末２は、先に述べたように、ｅＰＤＣＣＨに用いられる時間、または、周波数リソースで定まるＡｎｔｅｎｎａ  ｐｏｒｔをここで用いる。もしくは、基地局１は、Ｓ１において、端末２に、使用するＡｎｔｅｎｎａ  ｐｏｒｔを明示しても良い。次いで、端末２は、復調、複合したｅＰＤＣＣＨのＣＲＣ（Ｃｙｃｌｉｃ  Ｒｅｄｕｎｄａｎｃｙ  Ｃｈｅｃｋ）チェックを行い、ｅＰＤＣＣＨが正しく復号できたか否かをチェックする（Ｓ１１）。
【００６０】
通常、Ｓｅａｒｃｈ  ＳｐａｃｅにはｅＰＤＣＣＨが格納される領域が複数定義されるため、エラーがある場合には（Ｓ１１：Ｙｅｓ）、端末２は、Ｓｅａｒｃｈ  Ｓｐａｃｅの次の領域に対して、Ｓ１０およびＳ１１の処理を行う。エラーが無い場合（Ｓ１１：Ｎｏ）、端末２は、当該Ｓｕｂｆｒａｍｅにおいて自身宛のＰＤＳＣＨがスケジューリングされていると判定し、ＰＤＳＣＨの復調処理（Ｓ１３）に進む。
【００６１】
Ｓｅａｒｃｈ  Ｓｐａｃｅの全領域についてｅＰＤＣＣＨの復号を行った結果、正しく復号できなかった場合、端末２は、当該ＳｕｂｆｒａｍｅにＰＤＳＣＨがスケジューリングされていないと判定する。そして、端末２は、次のＳｕｂｆｒａｍｅに進み、再度Ｓ１０およびＳ１１の処理を行う（Ｓ１２）。以上の処理はＢｌｉｎｄ  Ｄｅｃｏｄｉｎｇと呼ばれている。
【００６２】
Ｓ１１において、ｅＰＤＣＣＨを正しく復号できた場合、端末２は、ｅＰＤＣＣＨ内のＤＣＩから、ＰＤＳＣＨのＲＢの割当て情報、変調方式および符号化率の情報（ＭＣＳ：Ｍｏｄｕｌａｔｉｏｎ  ａｎｄ  Ｃｏｄｉｎｇ  Ｓｃｈｅｍｅ）、ＰＤＳＣＨ復調用のＤＭＲＳに用いられるパラメータ（ｘ（ｎ）、ｎ＿ＳＣＩＤ＝ｉとする）などを抽出する（Ｓ１３）。
【００６３】
その他にも、ＤＣＩは、例えば、非特許文献５に記載されている情報を含んでいてもよい。次いで、端末２は、ＰＤＳＣＨ復調用のＤＭＲＳ（ｘ（ｎ）、ｎ＿ＳＣＩＤ＝ｉ）を用いて、伝搬路推定を行い、ＰＤＳＣＨを復調、復号する（Ｓ１４）。そして、端末２は、復号結果に応じて、ＡＣＫおよびＮＡＣＫの判定を行う（Ｓ１５）。
【００６４】
以上のように、本実施形態は、ＤＭＲＳのパラメータとして、複数のＸ（ｘ（０）〜ｘ（Ｎ−１））が設定されたとしても、ｅＰＤＣＣＨの復調、復号には固定のＤＭＲＳ系列（ｘ（０）およびｎ＿ＳＣＩＤ＝０）を用いることを、基地局１および端末２間の共通規則として予め決定しておく。これによって、端末２は、ｅＰＤＣＣＨを、固定のＤＭＲＳ系列（ｘ（０）およびｎ＿ＳＣＩＤ＝０）を用いて復調、復号する。
【００６５】
この本実施形態によると、端末２は、ｅＰＤＣＣＨのＢｌｉｎｄ  ｄｅｃｏｄｉｎｇを行うことができる。また、端末２は、一つのＤＭＲＳ系列に対してのみｅＰＤＣＣＨの伝搬路推定およびＢｌｉｎｄ  Ｄｅｃｏｄｉｎｇを行えばよいため、端末２の複雑性、および処理量を低減できる。
【００６６】
また、このようにｅＰＤＣＣＨには固定のｘ（０）の値を用いることで、パラメータＸの設定をＰＤＳＣＨ復調用のＤＭＲＳとｅＰＤＣＣＨ復調用のＤＭＲＳの間で共通化でき、制御信号のオーバヘッドを低減できる。また、後述するように、ｅＰＤＣＣＨに固定のＸを用いたとしても、ｘ（０）を適切に設定することで、ｅＰＤＣＣＨに対して、Ｃｅｌｌ  ｓｐｌｉｔｔｉｎｇゲインを獲得し、ＰＤＣＣＨの容量を増加させることができる。
【００６７】
また、他の変形例として、図５のＳ１において、基地局１は、上位層の制御信号を用いて、Ｘ＝｛ｘ（０）〜ｘ（Ｎ−１）｝を、ＰＤＳＣＨ復調用のＤＭＲＳのパラメータとして設定し、ｅＰＤＣＣＨ復調用のＤＭＲＳについては、０〜Ｎ−１の番号を指定してもよい。例えば、Ｎ＝２の場合、ｘ（０）またはｘ（１）のどちらのＸを用いるかを、１ビットの情報で指定してもよい。
【００６８】
また、基地局１は、ＰＤＳＣＨ復調用のＤＭＲＳに対しては、Ｘ＝｛ｘ（０）〜ｘ（Ｎ−１）｝のＮ個のパラメータを上位層の制御信号を用いて端末２に対して設定し、それと独立に、一つのパラメータｘ'（０）をｅＰＤＣＣＨ復調用のＤＭＲＳに用いるパラメータとして上位層の制御信号を用いて端末２に対して設定してもよい。ただし、ｘ'（０）は、ｘ（０）〜ｘ（Ｎ−１）のいずれかと同じ値であってもよい。
【００６９】
図７は、ｅＰＤＣＣＨ、ＰＤＳＣＨ、ＰＤＣＣＨ等のリソース構成の例である。前半の０〜３ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル７０１は従来のＰＤＣＣＨや、ＰＤＣＣＨのＯＦＤＭシンボル数を示すＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、上りリンクのデータ信号のＡＣＫ、ＮＡＣＫを通知するＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などの送信に用いられる。
【００７０】
ｅＰＤＣＣＨとｅＰＤＣＣＨ復調用のＤＭＲＳは、同一のＲＢ７０２に挿入され、ＰＤＳＣＨとＰＤＳＨ復調用のＤＭＲＳは同一のＲＢ７０３に挿入される。ｅＰＤＣＣＨとＰＤＳＣＨは異なるＲＢに挿入される。ｅＰＤＣＣＨのＤＣＩには、ＰＤＳＣＨのＲＢの位置やＰＤＳＣＨ復調用のＤＭＲＳのパラメータが含まれており、端末２は、その情報に応じてＰＤＳＣＨの伝搬路推定やＰＤＳＣＨの復調、復号を行う。
【００７１】
なお、リソース構成のうち、ｅＰＤＣＣＨが含まれる無線リソース制御層（ＲＲＣ：  Ｒａｄｉｏ  Ｒｅｓｏｕｒｃｅ  Ｃｏｎｔｒｏｌ）が上位層とすると、ＰＤＳＣＨ等が含まれる物理層が下位層となる。
【００７２】
図８は、ＤＭＲＳのパラメータの対応関係の一例を示す。パラメータは、ＭＩＭＯのレイヤ数（図８におけるＬａｙｅｒ）、Ａｎｔｅｎｎａ  Ｐｏｒｔの番号（図８におけるＰｏｒｔ）、ｎ＿ＳＣＩＤ（図８におけるｎ＿ＳＣＩＤ）、およびｘ（ｎ）（図８におけるＸ  ｉｎｄｉｃａｔｏｒ）から構成される。
【００７３】
Ｃｏｄｅｗｏｒｄは、データ信号に誤り訂正符号化を適用して出力される符号語である。Ｏｎｅ  ｃｏｄｅｗｏｒｄは、端末２に１つの符号語を送信する場合に該当し、Ｔｗｏ  Ｃｏｄｅｗｏｒｄｓは、２つの符号語を同時に送信する場合に該当する。
【００７４】
ＭＩＭＯのレイヤ数はＡｎｔｅｎｎａ  Ｐｏｒｔの数を決定するパラメータである。Ａｎｔｅｎｎａ  Ｐｏｒｔの番号は、図３におけるＤＭＲＳのＲＥへの挿入位置、および各Ａｎｔｅｎｎａ  Ｐｏｒｔに使用する直交符号を決定するパラメータである。ｎ＿ＳＣＩＤおよびｘ（ｎ）は、数３の式で初期値が与えられるＤＭＲＳの信号系列を決定するためのパラメータである。
【００７５】
次に、ｅＰＤＣＣＨまたはＰＤＣＣＨにおいて、ＰＤＳＣＨのＤＭＲＳに用いるｘ（ｎ）（ｎ＝０〜Ｎ−１）を通知する方法について述べる。これには大きく２つの方法が考えられる。一つ目は、ＤＣＩにｌｏｇ２（Ｎ）ビットの情報を追加し、ｘ（０）〜ｘ（Ｎ−１）のいずれの値を用いているかを通知する。
【００７６】
この情報ビットをＸ  ｉｎｄｉｃａｔｏｒと呼ぶこととする。図８に例示するようにＮ＝２の場合、Ｘ  ｉｎｄｉｃａｔｏｒは１ビットの情報である。例えば、その値が"０"の場合、ＰＤＳＣＨ復調用のＤＭＲＳにｘ（０）が用いられていることを表わし、その値が"１"の場合、ｘ（１）が用いられていることを表わす。
【００７７】
図８の例において、基地局１は、ＭＩＭＯのレイヤ数、Ａｎｔｅｎｎａ  Ｐｏｒｔの番号、およびｎ＿ＳＣＩＤの組を、３ビットの情報として端末２に通知する。この情報をＰｏｒｔ、ＳＣＩＤ  ａｎｄ  Ｌａｙｅｒ  Ｉｎｄｉｃａｔｏｒと表記する。さらに、基地局１は、Ｘ  ｉｎｄｉｃａｔｏｒを１ビットの情報として端末２に通知する。
【００７８】
図８における、ＭＩＭＯのレイヤ数、Ａｎｔｅｎｎａ  Ｐｏｒｔの番号、およびｎ＿ＳＣＩＤと、Ｐｏｒｔ、ＳＣＩＤ  ａｎｄ  Ｌａｙｅｒ  Ｉｎｄｉｃａｔｏｒの３ビットの各値との対応関係の情報は、予め基地局１と端末２の間で共有されている（例えば、対応関係の情報が、標準規格で規定されている）。
【００７９】
端末２は、上記対応関係の情報を参照して、基地局１から受信したＳＣＩＤ  ａｎｄ  Ｌａｙｅｒ  Ｉｎｄｉｃａｔｏｒが示す、ＤＭＲＳのＭＩＭＯのレイヤ数、Ａｎｔｅｎｎａ  ｐｏｒｔの番号、およびｎ＿ＳＣＩＤを特定する。
【００８０】
これにより、ＤＭＲＳのＭＩＭＯのレイヤ数、Ａｎｔｅｎｎａ  ｐｏｒｔの番号、およびｎ＿ＳＣＩＤ並びにｘ（ｎ）で与えられる信号系列は、基地局１から通知されるＸ  ｉｎｄｉｃａｔｏｒとＰｏｒｔ、ＳＣＩＤ  ａｎｄ  Ｌａｙｅｒ  Ｉｎｄｉｃａｔｏｒとの組合せによって、図８のように決定される。
【００８１】
したがって、端末２は、基地局１が通知されるＸ  ＩｎｄｉｃａｔｏｒとＰｏｒｔ、ＳＣＩＤ  ａｎｄ  Ｌａｙｅｒ  Ｉｎｄｉｃａｔｏｒによって、ＰＤＳＣＨ復調用のＤＭＲＳが挿入されるＲＥ、使用される直交符号、および信号系列を知ることができる。その結果、端末２は、ＤＭＲＳを用いて伝搬路推定を行い、ＰＤＳＣＨを復調および復号することができる。
【００８２】
Ｘ  ｉｎｄｉｃａｔｏｒを用いる場合、図４の各端末２のｘ（０）およびｘ（１）は、例えば図９のように設定できる。図９では、ＴＰ１−１〜１−５のＰｈｙｓｉｃａｌ  Ｃｅｌｌ  ＩＤは同一であるもの（例えばＮ＾Ｃｅｌｌ＿ＩＤ＝１）と仮定する。図９では、Ｎ＾Ｃｅｌｌ＿ＩＤの値とは独立に、端末２−１〜２−４に対して接続するＴＰに応じた異なるｘ（０）の値を設定している。
【００８３】
このように、端末２−１〜２−４に対して異なるｘ（０）を設定することで、ＴＰ１−１〜１−５が同一のＰｈｙｓｉｃａｌ  Ｃｅｌｌ  ＩＤを有する場合にも、端末２−１〜２−４に対して異なるＤＭＲＳの信号系列を用いることができる。すなわち、Ｃｅｌｌ  ｓｐｌｉｔｔｉｎｇゲインを獲得できる。これはＰＤＳＣＨおよびｅＰＤＣＣＨに対して同様である。
【００８４】
したがって、ｅＰＤＣＣＨ復調用のＤＭＲＳに用いるパラメータをｘ（０）およびｎ＿ＳＣＩＤ＝０に固定したとしても、ＴＰ毎に異なるｘ（０）を設定することで、ＴＰ間のＤＭＲＳに対する干渉は、疑似直交によってランダム化することができる。一方、ｘ（１）については、各端末がＭＵ（Ｍｕｌｔｉ  Ｕｓｅｒ）−ＣｏＭＰ（Ｃｏｏｄｉｎａｔｅｄ  Ｍｕｌｔｉ−Ｐｏｉｎｔ  Ｏｐｅｒａｔｉｏｎ）によって連携送信される可能性のあるＴＰに応じた値を設定している。
【００８５】
例えば、端末２−２および２−３に着目すると、端末２−２に対して、ｘ（０）＝３、ｘ（１）＝４が設定されており、端末２−３に対して、ｘ（０）＝４、ｘ（１）＝３が設定されている。そのため、図９のようにＭＵ−ＣｏＭＰを行う場合、例えば、基地局１は、端末２−２にｘ（１）＝４、ｎ＿ＳＣＩＤ＝０、Ｐｏｒｔ７を使用し、端末２−３にｘ（０）＝４、ｎ＿ＳＣＩＤ＝０、Ｐｏｒｔ８を使用することで、端末２−２と端末２−３のＤＭＲＳを直交化できる。
【００８６】
ｅＰＤＣＣＨまたはＰＤＣＣＨにおいて、ＰＤＳＣＨのＤＭＲＳに用いるｘ（ｎ）（ｎ＝０〜Ｎ−１）を通知する２つ目の方法は、ｘ（０）またはｘ（１）とｎ＿ＳＣＩＤをセットとして通知する。例えば、この方法は、ｎ＿ＳＣＩＤ＝０の場合は、ｘ（０）を用い、ｎ＿ＳＣＩＤ＝１の場合は、ｘ（１）を用いる。
【００８７】
この場合、基地局１は、ＭＩＭＯのレイヤ数、Ａｎｔｅｎｎａ  Ｐｏｒｔの番号、ｎ＿ＳＣＩＤ、およびｘ（ｎ）を３ビットの情報として端末２に通知する。この情報をＰｏｒｔ、ＳＣＩＤ、Ｌａｙｅｒ  ａｎｄ  Ｘ  Ｉｎｄｉｃａｔｏｒと表記する。図１０は、この場合における、ＤＭＲＳのパラメータの対応関係の例を示す。ＤＭＲＳのＭＩＭＯのレイヤ数、Ａｎｔｅｎｎａ  ｐｏｒｔの番号、およびｎ＿ＳＣＩＤ並びにｘ（ｎ）で与えられる信号系列は、例えば、図１０のように決定される。
【００８８】
図１０における、ＭＩＭＯのレイヤ数、Ａｎｔｅｎｎａ  Ｐｏｒｔの番号、ｎ＿ＳＣＩＤ、およびｘ（ｎ）と、Ｐｏｒｔ、ＳＣＩＤ、Ｌａｙｅｒ  ａｎｄ  Ｘ  Ｉｎｄｉｃａｔｏｒの３ビットの各値との対応関係の情報は、予め基地局１と端末２の間で共有されている。
【００８９】
基地局１は、端末２に、Ｐｏｒｔ、ＳＣＩＤ、Ｌａｙｅｒ  ａｎｄ  Ｘ  Ｉｎｄｉｃａｔｏｒを通知する。端末２は、上記対応関係の情報を参照して、受信したＰｏｒｔ、ＳＣＩＤ、Ｌａｙｅｒ  ａｎｄ  Ｘ  Ｉｎｄｉｃａｔｏｒが示す、Ａｎｔｅｎｎａ  Ｐｏｒｔの番号、ｎ＿ＳＣＩＤ、およびｘ（ｎ）を特定する。
【００９０】
図１０の例において、ｘ（０）とｎ＿ＳＣＩＤ＝１の組合せおよびｘ（１）とｎ＿ＳＣＩＤ＝０の組合せは用いることができない。ただし、図１０に示す組合せ以外の例は、図１０が示す組合せにおいてｎ＿ＳＣＩＤ＝０のみを用いても良い。この場合、ｘ（０）とｎ＿ＳＣＩＤ＝０の組合せ、およびｘ（１）＝１とｎ＿ＳＣＩＤ＝０の組合せが用いられ、ｘ（０）とｎ＿ＳＣＩＤ＝１の組合せ、およびｘ（１）とｎ＿ＳＣＩＤ＝１の組合せは用いることができない。
【００９１】
２つ目の方法においても、適切なｘ（０）およびｘ（１）の設定によって、Ｃｅｌｌ  ｓｐｌｉｔｔｉｎｇゲインおよびＭＵ−ＣｏＭＰにおけるＤＭＲＳ間の直交化の両者を実現することが可能である。この時、例えば、各端末のｘ（０）およびｘ（１）は、図１１のように設定できる。
【００９２】
図１１において、ＴＰ毎に異なるｘ（０）の値を設定している点は図９と同じである。一方、端末２−４に対して、ＴＰ１−５におけるＭＵ−ＭＩＭＯのために、ｘ（０）＝ｘ（１）＝５と設定されている。すなわち、図１０を参照して説明したｘ（ｎ）の２つ目の通知方法は、ｘ（０）とｘ（１）に同じ値を設定することもありうる。
【００９３】
また、端末２−２に対して、ｘ（０）＝３、ｘ（１）＝４が設定され、端末２−３に対して、ｘ（０）＝ｘ（１）＝４が設定されている。この時、端末２−２に対し、ｎ＿ＳＣＩＤ＝１とｘ（１）＝４を使用し、端末２−３に対し、ｎ＿ＳＣＩＤ＝１とｘ（１）＝４を使用することで、両端末のＤＭＲＳは同一の系列となる。そのため、Ｐｏｒｔ７と８を用いたＭＵ−ＣｏＭＰによって、ＤＭＲＳを直交化できる。
【００９４】
２．第二の実施形態
第二の実施形態は、基地局１のｅＰＤＣＣＨ復調用のＤＭＲＳの選択肢を増加することで、ｅＰＤＣＣＨ復調用のＤＭＲＳの伝搬路推定精度を向上することを目的とする。
【００９５】
第一の実施形態は、ｅＰＤＣＣＨについては、固定の一つのＸの値（例えばｘ（０））のみを用いていた。しかし、この場合、ｅＰＤＣＣＨをＭＵ−ＣｏＭＰによって送信しない場合でも、伝搬路推定精度が劣化する可能性がある。
【００９６】
図１２にその例を示す。図１２は、あるＲＢにおいてｅＰＤＣＣＨが格納される時間および周波数リソースの例を示しており、ｅＰＤＣＣＨが格納されるリソースに応じて、対応するＡｎｔｅｎｎａ  Ｐｏｒｔが異なっている。例えば、図１２において、端末２−２へは、Ａｎｔｅｎａ  ｐｏｒｔ７に対応するリソースを用いて、ＴＰ１−３からｅＰＤＣＣＨが送信されている。
【００９７】
また、Ｃｅｌｌ  ｓｐｌｉｔｔｉｎｇゲインを獲得するために、ｅＰＤＣＣＨ復調用のＤＭＲＳとして、ｘ（０）＝３、ｎ＿ＳＣＩＤ＝０から決定される信号系列が送信されている。一方、端末２−３へは、Ａｎｔｅｎｎａ  ｐｏｒｔ８に対応するリソースを用いて、ＴＰ１−４からｅＰＤＣＣＨが送信されている。ｅＰＤＣＣＨ復調用のＤＭＲＳとして、ｘ（０）＝４、ｎ＿ＳＣＩＤ＝０から決定される信号系列が送信されている。
【００９８】
この時、端末２−２および２−３のｅＰＤＣＣＨは、互いに干渉を及ぼすことはない。しかしながら、Ｐｏｒｔ７とＰｏｒｔ８のＤＭＲＳは、同一のＲＥを用いて送信されているため、互いに干渉する。しかし、ｘ（０）の違いによって、両者のＤＭＲＳの信号系列は異なるため、直交符号による直交化はできない。その結果、ＤＭＲＳを用いた伝搬路推定の推定精度が劣化し、ｅＰＤＣＣＨの受信性能も低下する可能性がある。
【００９９】
これは図１２のように、端末がＴＰ間の通信エリアの境界付近にいる場合に特に問題となる。また、ｅＰＤＣＣＨをＳＵ−ＣｏＭＰによって送信する場合でも同様に問題となる。しかしながら、端末２−２と端末２−３に共通のｘ（０）を設定すると、逆に、ｅＰＤＣＣＨのＣｅｌｌ  ｓｐｌｉｔｔｉｎｇゲインは得られなくなる。
【０１００】
この問題を解決するためには、Ｃｅｌｌ  ｓｐｌｉｔｔｉｎｇのためにＴＰ毎に異なるＸを用いる場合と、ＴＰ間の通信エリアの境界付近にいる端末のために共通のＸを用いる場合とを、動的に切り替える必要がある。これを実現する第二の実施形態の動作手順を図１３に示す。
【０１０１】
まず、基地局１は、図５のＳ１と同様に、上位層の制御信号を用いて、ｅＰＤＣＣＨの情報、および、ＤＭＲＳ用のパラメータＸ＝｛ｘ（０）〜ｘ（Ｎ−１）｝を端末２に通知する（Ｓ２０）。そして、端末２は、ｘ（０）〜ｘ（Ｎ−１）のＮ個のＸで決定されるＤＭＲＳの信号系列全てをｅＰＤＣＣＨ復調用のＤＭＲＳとして設定する（Ｓ２１）。
【０１０２】
本例において、Ｓ２０は、ＰＤＳＣＨ（Ｐｈｙｓｉｃａｌ  Ｄｏｗｎｌｉｎｋ  Ｓｈａｒｅｄ  Ｃｈａｎｎｅｌ）復調用のＤＭＲＳのパラメータを通知するステップであると共に、ｅＰＤＣＣＨ復調用のＤＭＲＳのパラメータを通知するステップでもある。Ｓ２０は、ＰＤＳＣＨ復調用のＤＭＲＳのパラメータと、ｅＰＤＣＣＨ復調用のＤＭＲＳのパラメータとを、別々に通知してもよい。
【０１０３】
ただし、ｎ＿ＳＣＩＤは０とする。基地局１は、端末２の位置などの任意の基準によって、ｅＰＤＣＣＨ復調用のＤＭＲＳに用いるパラメータｘ（ｍ）を決定し、ｅＰＤＣＣＨ用のＤＭＲＳ（ｘ（ｍ）、ｎ＿ＳＣＩＤ＝０）およびｅＰＤＣＣＨを送信する。
【０１０４】
同様に、基地局１は、任意の基準によって、ＰＤＳＣＨの復調用のＤＭＲＳのパラメータｘ（ｎ）、ｎ＿ＳＣＩＤ＝ｉを決定し、ＰＤＳＣＨ用のＤＭＲＳおよびＰＤＳＣＨを送信する（Ｓ２２）。端末２は、Ｓ２１で設定したＮ個のＤＭＲＳを用いて、ｅＰＤＣＣＨを復調、復号し、その後、必要に応じてＰＤＳＣＨを復調、復号する（Ｓ２３）。Ｓ２３における端末２の具体的な処理は図１４において後述する。次いで、端末２は、ＰＤＳＣＨの復号結果に応じて、ＡＣＫまたはＮＡＣＫを基地局１に送信する（Ｓ２４）。
【０１０５】
図１４は、Ｓ２３における端末２の処理の具体例である。端末２は、あるＳｕｂｆｒａｍｅにおいて定められたＳｅａｒｃｈ  ｓｐａｃｅに対し、まず、ｘ（０）、ｎ＿ＳＣＩＤ＝０で決定されるＤＭＲＳ系列を用いて、ｅＰＤＣＣＨの伝搬路推定を行う。そして、端末２は、推定した伝搬路を用いてｅＰＤＣＣＨを復調、復号する（Ｓ３０）。次いで、端末２は、ＣＲＣチェックを行い、エラーがあるか否か判定する（Ｓ３１）。エラーが無い場合、端末２は、自身宛のＰＤＳＣＨが送信されていると判定し、Ｓ３３に進む。エラーがあった場合、端末２は、ｘ（１）、ｎ＿ＳＣＩＤ＝０で決定されるＤＭＲＳ系列に対し、同様にＳ３０およびＳ３１の処理を繰り返す。
【０１０６】
この動作は、ｘ（０）〜ｘ（Ｎ−１）の全てのＤＭＲＳ系列、および、Ｓｅａｒｃｈ  ｓｐａｃｅに対して繰り返される。正しく復号できたｅＰＤＣＣＨが無い場合、端末２は、当該Ｓｕｂｆｒａｍｅにおいて、自身宛のＰＤＳＣＨが送信されていないと判定し、次のＳｕｂｆｒａｍｅに進み、同様にＳ３０、Ｓ３１の処理を繰り返す（Ｓ３２）。
【０１０７】
正しく復号できたｅＰＤＣＣＨがある場合、端末２は、図６のＳ１３と同様に、ｅＰＤＣＣＨ内のＤＣＩから、ＰＤＳＣＨのＲＢの割当て情報やＰＤＳＣＨ復調用のＤＭＲＳに用いられるパラメータ（ｘ（ｎ）、ｎ＿ＳＣＩＤ＝ｉ）などを抽出する（Ｓ３３）。次いで、端末２は、図６のＳ１４と同様に、Ｓ３３で抽出したＲＢに対し、ＰＤＳＣＨ復調用のＤＭＲＳ（ｘ（ｎ）、ｎ＿ＳＣＩＤ＝ｉ）を用いて伝搬路推定を行う。
【０１０８】
そして、端末２は、推定した伝搬路を用いてＰＤＳＣＨを復調、復号する（Ｓ３４）。そして、端末２は、ＰＤＳＣＨの復号結果に応じて、ＡＣＫまたはＮＡＣＫの判定を行う（Ｓ３５）。
【０１０９】
別の変形例として、図１３のＳ２０において、基地局１は、上位層の制御信号を用いて、Ｎビットのビットマップを用いて、ｅＰＤＣＣＨ復調用のＤＭＲＳに用いるｘ（ｎ）を指定しても良い。例えば、Ｎ＝２の場合、ビットマップが"１０"であれば、端末２は、ｘ（０）をｅＰＤＣＣＨ復調用のＤＭＲＳに使用する。ビットマップが"０１"であれば、端末２は、ｘ（１）をｅＰＤＣＣＨ復調用のＤＭＲＳに使用する。ビットマップが"１１"であれば、端末２は、ｘ（０）とｘ（１）の両方をｅＰＤＣＣＨ復調用のＤＭＲＳに使用する。
【０１１０】
その他に、基地局１は、ｘ（０）〜ｘ（Ｎ−１）のＮ個のパラメータをＰＤＳＣＨ復調用のＤＭＲＳのパラメータとして通知し、それと独立なｘ'（０）〜ｘ'（Ｍ−１）のＭ個のパラメータを、ｅＰＤＣＣＨ復調用のＤＭＲＳのパラメータとして通知しても良い。ただし、Ｎ＝Ｍであってもよく、ＰＤＳＣＨの復調用のＤＭＲＳに設定したパラメータとｅＰＤＣＣＨの復調用のＤＭＲＳに設定したパラメータのいずれかが等しい値であってもよい。また、基地局１は、上位層の制御信号を用いて、Ｎ個の中からＭ個を選択する場合の組合せを番号付けし、その番号を通知してもよい。
【０１１１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。ある実施例の構成の一部を他の実施例の構成に置き換えることが可能であり、ある実施例の構成に他の実施例の構成を加えることも可能である。各実施例の構成の一部について、他の構成の追加・削除・置換が可能である。
【０１１２】
請求の範囲に記載した以外の本発明の観点の代表的なものとして、次のものがあげられる。
【０１１３】
１．データ信号の伝搬路推定と下位層の制御信号の伝搬路推定に、復調用の参照信号を用いる無線通信システムであって、
基地局は、端末に対し、上位層の制御信号によって、復調用の参照信号の信号系列を決定するための第一から第ＮのＮ個のパラメータを通知し、
端末は、設定された第一から第Ｎのパラメータの中の一つのパラメータから決定される信号系列を、下位層の制御信号の復調用の参照信号として設定し、
端末は、前記設定した下位層の制御信号の復調用の参照信号を用いて下位層の制御信号を復調および復号し、
端末は、正しく復号できた下位層の制御信号で通知される第一から第Ｎのパラメータの中の一つのパラメータから決定される信号系列を、データ信号の復調用の参照信号として設定することを特徴とする無線通信システム。
【０１１４】
２．前記１項に記載の無線通信システムであって、端末は、設定された第一から第Ｎのパラメータの中の、第一のパラメータから決定される信号系列を、下位層の制御信号の復調用の参照信号として設定することを特徴とする無線通信システム。
【０１１５】
３．前記１項に記載の無線通信システムであって、基地局は、端末に対し、上位層の制御信号によって、データ信号の復調用の参照信号の信号系列を決定するためのパラメータとして、第一から第ＮのＮ個のパラメータを通知し、基地局は、１からＮの中の一つの番号ｍを、下位層の制御信号の復調用の参照信号の信号系列を決定するためのパラメータとして端末に通知し、端末は、第一から第Ｎのパラメータの中の第ｍのパラメータから決定される信号系列を、下位層の制御信号の復調用の参照信号として設定することを特徴とする無線通信システム。
【０１１６】
４．前記１項に記載の無線通信システムであって、基地局は、端末に対し、上位層の制御信号によって、データ信号の復調用の参照信号の信号系列を決定するためのパラメータとして、第一から第ＮのＮ個のパラメータを通知し、基地局は、前記Ｎ個のパラメータとは別に、下位層の制御信号の復調用の参照信号の信号系列を決定するための一つのパラメータを端末に通知し、端末は、前記通知された一つのパラメータから決定される信号系列を、下位層の制御信号の復調用の参照信号として設定することを特徴とする無線通信システム。
【０１１７】
５．データ信号の伝搬路推定と下位層の制御信号の伝搬路推定に、復調用の参照信号を用いる無線通信システムであって、
基地局は、端末に対し、上位層の制御信号によって、復調用の参照信号の信号系列を決定するための第一から第ＮのＮ個のパラメータを通知し、
端末は、設定された第一から第Ｎのパラメータの中の複数のパラメータから決定される複数の信号系列を、下位層の制御信号の復調用の参照信号として設定し、
端末は、前記設定した複数の下位層の制御信号の復調用の参照信号を用いて下位層の制御信号の復調および復号を複数回行い、
端末は、正しく復号できた下位層の制御信号で通知される第一から第Ｎのパラメータの中の一つのパラメータから決定される信号系列を、データ信号の復調用の参照信号として設定することを特徴とする無線通信システム。
【０１１８】
６．前記５項に記載の無線通信システムであって、端末は、Ｎ個のパラメータから決定されるＮ個の信号系列を、下位層の制御信号の復調用の参照信号として設定し、端末は、前記設定したＮ個の下位層の参照信号の復調用の参照信号を用いて、下位層の制御信号の復調および復号をＮ回行うことを特徴とする無線通信システム。
【０１１９】
７．前記５項に記載の無線通信システムであって、基地局は、上位層の制御信号によって、データ信号の復調用の参照信号の信号系列を決定するためのパラメータとして、第一から第ＮのＮ個のパラメータを端末に通知し、基地局は、前記Ｎ個のパラメータの中のどのパラメータを、下位層の制御信号の復調用の参照信号として用いるかをＮビットのビットマップによって端末に通知し、端末は、前記通知されたビットマップから決定される１または複数の信号系列を、下位層の制御信号の復調用の参照信号として設定することを特徴とする無線通信システム。
【０１２０】
８．前記５項に記載の無線通信システムであって、基地局は、上位層の制御信号によって、データ信号の復調用の参照信号の信号系列を決定するためのパラメータとして、第一から第ＮのＮ個のパラメータを端末に通知し、基地局は、前記Ｎ個のパラメータとは別に、下位層の制御信号の復調用の参照信号の信号系列を決定するためのパラメータとして、Ｍ個のパラメータを端末に通知し、端末は、前記通知されたＭ個のパラメータで決定されるＭ個の信号系列を、下位層の制御信号の復調用の参照信号として設定することを特徴とする無線通信システム。
【図１】
0005890893.tif 000005
【図２】
0005890893.tif 000006
【図３】
0005890893.tif 000007
【図４】
0005890893.tif 000008
【図５】
0005890893.tif 000009
【図６】
0005890893.tif 000010
【図７】
0005890893.tif 000011
【図８】
0005890893.tif 000012
【図９】
0005890893.tif 000013
【図１０】
0005890893.tif 000014
【図１１】
0005890893.tif 000015
【図１２】
0005890893.tif 000016
【図１３】
0005890893.tif 000017
【図１４】
0005890893.tif 000018